(57)【要約】      （修正有）【課題】膝サポーターを膝に装着した場合に、膝を容易に曲げることができる膝サポーターを提供する。【解決手段】膝サポーター１は、主として伸縮性を有する素材からなり、膝の周囲を被覆する筒状のサポーターである。この膝サポーター１は、膝サポーター１を膝に装着した場合において、膝の後側の膝窩部の部位に対応する箇所に、開口部９を有する。つまり、膝サポーター１では、膝窩部の部位には膝サポーター１の部分（即ち、布の部分）が無い。そのため、膝を曲げた場合に、膝窩部は布の部分に当たりにくい。つまり、布の部分が膝窩部に挟まれにくい。従って、膝サポーター１を膝に装着した場合であっても、膝をスムーズに曲げることができる。【選択図】図１
0003235308.tif 000002
【実用新案登録請求の範囲】
【請求項１】
主として伸縮性を有する素材からなり、膝の周囲を被覆する筒状の膝サポーターであって、
前記膝サポーターを前記膝に装着した場合において、前記膝の後側の膝窩部の部位に対応する箇所に、開口部を有するように構成された、
膝サポーター。
【請求項２】
前記膝の前側を覆うように設けられた前側部と、前記膝の後側を覆うように設けられた後側部と、を備えるとともに、
前記開口部は、前記後側部において、前記膝サポーターの貫通孔に沿った長手方向における中央部分に設けられている、
請求項１に記載の膝サポーター。
【請求項３】
前記開口部は、前記膝サポーターの貫通孔に沿った長手方向の寸法より、前記長手方向に垂直な短手方向の寸法が長いように構成された、
請求項１又は２に記載の膝サポーター。
【請求項４】
前記開口部の形状は、長方形であって、当該長方形の各頂点及び各辺が、外側に向かって滑らかに湾曲しているように構成された、
請求項１〜３のいずれか１項に記載の膝サポーター。
【請求項５】
前記膝の前側の膝頭を覆う膝頭被覆部は、当該膝頭被覆部の周囲よりも柔軟性が高いように構成された、
請求項１〜４のいずれか１項に記載の膝サポーター。
【考案の詳細な説明】
【技術分野】
【０００１】
本開示は、膝を被覆する膝サポーターに関する。
【背景技術】
【０００２】
特許文献１には、人の膝の周囲を被覆する膝サポーターが記載されている。この膝サポーターは、伸縮性を有する素材からなる筒状の部材である。
【先行技術文献】
【特許文献】
【０００３】
【特許文献１】実用新案登録第３２２６１２５号公報
【考案の概要】
【考案が解決しようとする課題】
【０００４】
しかしながら、上述した従来技術では、膝サポーターを膝に装着した場合に、膝を曲げようとすると、膝サポーターの内側部分（即ち、膝の後側の膝窩部に対向する部分）が邪魔になって、膝が曲げにくいというという問題があった。
【０００５】
特に、膝サポーターは、膝から脱落しにくいように、伸縮性を有する丈夫な素材で形成されているので、その点からも、膝が曲げにくいという問題があった。
本開示は、膝サポーターを膝に装着した場合に、膝を容易に曲げることができる技術を提供することを目的とする。
【課題を解決するための手段】
【０００６】
（１）本開示の一態様の膝サポーターは、主として伸縮性を有する素材からなり、膝の周囲を被覆する筒状の膝サポーターである。
この膝サポーターは、膝サポーターを膝に装着した場合において、膝の後側の膝窩部の部位に対応する箇所に、開口部を有する。
【０００７】
つまり、本開示の膝サポーターでは、膝窩部の部位には開口部が設けてあるので、膝窩部の部位には膝サポーターの部分（即ち、布の部分）が無い。そのため、膝を曲げた場合に、膝窩部は布の部分に当たりにくい。つまり、布の部分が膝窩部に挟まれにくい。従って、膝サポーターを膝に装着した場合であっても、膝をスムーズに曲げることができる。
【０００８】
（２）本開示の他の態様の膝サポーターは、膝の前側を覆うように設けられた前側部と、膝の後側を覆うように設けられた後側部と、を備える。そして、開口部は、後側部において、膝サポーターの貫通孔に沿った長手方向における中央部分に設けられている。
【０００９】
従って、上述したように、膝サポーターを膝に装着した場合に、膝をスムーズに曲げることができる。
（３）本開示の他の態様の膝サポーターでは、開口部は、膝サポーターの貫通孔に沿った長手方向の寸法より、長手方向に垂直な短手方向の寸法が長いように構成されている。
【００１０】
開口部が膝サポーターの短手方向（例えば、人が立った場合における水平方向）に短い場合には、膝が曲げられた場合には、膝サポーターの後側の布の部分が、膝の後側にて挟まれ易い。しかし、この態様では、短手方向の寸法が長いでの、膝が曲げられた場合でも、膝サポーターの後側の布の部分が、膝の後側にて挟まれにくい。よって、この点からも、膝をスムーズに曲げることができる。
【００１１】
（４）本開示の他の態様の膝サポーターでは、開口部の形状は、長方形であって、当該長方形の各頂点及び各辺が、外側に向かって滑らかに湾曲している。
つまり、開口部は長方形であるので、膝が曲げられた場合（特に大きく曲げられた場合）でも、膝サポーターの後側の布の部分が、挟まれにくい。よって、この点からも、膝をスムーズに曲げることができる。
【００１２】
（５）本開示の他の態様の膝サポーターでは、膝の前側の膝頭を覆う膝頭被覆部は、当該膝頭被覆部の周囲よりも柔軟性が高いように構成されている。
膝頭被覆部の弾性が過度に高い場合には、膝を曲げた場合に、膝頭被覆部が伸びにくいので、膝が曲げにくい。しかし、この態様では、膝頭被覆部は柔軟性が高いので、膝が曲げられた場合（特に大きく曲げられた場合）でも、膝頭被覆部はスムーズに伸びて広がるので、膝を容易に曲げることができる。
【図面の簡単な説明】
【００１３】
【図１】実施形態の膝サポーターを膝に装着した場合の使用状態を示す説明図である。
【図２】実施形態の膝サポーターを膝に装着しない状態にて前側から見た状態を正面図である。
【図３】実施形態の膝サポーターを膝に装着しない状態にて後側から見た状態を示す背面図である。
【図４】実施形態の膝サポーターを膝に装着した状態を示す説明図である。
【図５】実施形態の膝サポーターを膝に装着して膝を曲げた状態を示す説明図である。
【考案を実施するための形態】
【００１４】
［１．実施形態］
以下に本開示の実施形態を図面とともに説明する。
［１−１．構造］
まず、本実施形態の膝サポーター１の構造について、図面に基づいて説明する。
【００１５】
図１に示すように、本実施形態の膝サポーター１は、主として伸縮性を有する素材（即ち、弾性を有する布）からなり、膝の周囲を被覆する筒状のサポーターである。ここで、「主として」は、全体又は大部分（例えば９０重量％以上）を示している。なお、この膝サポーター１は、例えば丸編み機等を用いて製造することができる。
【００１６】
膝サポーター１は、膝に装着された場合には、略円筒形状であり、図１の上下方向である長手方向において、軸中心を貫くような貫通孔３を有する。なお、図１の上方とは、足Ｆの付け根側（上側）であり、下方とは足Ｆの先端側（下側）である。
【００１７】
膝サポーター１の形状は、足Ｆの膝の周囲の形状に合わせて形成されている。具体的には、膝サポーター１のうち、足Ｆの上側に対応する上保持部（即ち、図１の上方）５の寸法（例えば内径）は、足Ｆの下側に対応する下保持部（即ち、図１の上方）７の寸法（例えば内径）より大きい。
【００１８】
特に、本実施形態では、膝サポーター１は、膝に装着された場合において、膝の後側の膝窩部の部位に対応する箇所（即ち、向かい合う箇所）に、開口部９を有する。
詳しくは、膝サポーター１は、膝の前側を覆うように設けられた前側部１１（図２参照）と、膝の後側を覆うように設けられた後側部１３（図３参照）と、を備える。そして、後側部１３において、膝サポーター１の貫通孔３に沿った長手方向（即ち、貫通孔３が伸びる貫通方向）における中央部分に、前記開口部９が設けられている。
【００１９】
また、後側部１３において、開口部９より上方の部分の寸法は下方の部分の寸法より長く設定されている。つまり、開口部９は、貫通方向における中央より若干下方の位置に設けられている。
【００２０】
なお、前側部１１と後側部１３とは、足Ｆを通さない状態、即ち、図２及び図３に示すように、前側部１１と後側部１３とを重ね合わせた状態では、それぞれ、上下方向（即ち、貫通方向）が長い略長方形である。
【００２１】
また、図３に示すように、前記開口部９は、膝サポーター１の貫通方向（即ち、長手方向：図３の上下方向）の寸法より、長手方向に垂直な短手方向（図３の左右方向）の寸法が長いように構成されている。
【００２２】
つまり、開口部９の形状は、図３の左右方向に長い略長方形であって、長方形の４箇所の各頂点及び４箇所の各辺が、外側に向かって滑らかに湾曲している。
開口部９の左右の端部は、後側部１３の左右の端部に近接して設けられている。例えば、図３に示すように、後側部１３の左（又は右）の端部から開口部９の左（又は右）の端部に到る寸法は、後側部１３の左右方向の寸法に対して、例えば１０％以内の範囲に設けられている。
【００２３】
さらに、開口部９の周囲は、膝サポーター１を構成する糸がほつれないように、ほつれを防ぐための加工が施されている。例えば、開口部９の周囲には、帯状の布が縫いつけられたほつれ防止部１５が設けられている。なお、ほつれ防止のために、かがり縫いを行ってもよい。
【００２４】
＜開口部以外の構成＞
次に、膝サポーター１において、開口部９以外の部分の構成について、図１〜図３に基づいて説明する。
【００２５】
上述したように、膝サポーター１の上端には、図１に示すように、前記上保持部５が筒状に設けられ、膝サポーター１の下端には、前記下保持部７が筒状に設けられている。
この上保持部５及び下保持部７は、膝サポーター１を膝に装着した場合に、膝サポーター１が膝の部分から下方にずれ落ちないように、高い弾性（即ち、締め付け力が強い特性）を有している。例えば、上保持部５及び下保持部７は、膝サポーター１のうち、最も高い弾性を有しているように構成することができる。
【００２６】
また、膝サポーター１は、開口部９以外の各部分において、異なる伸縮性（即ち、異なる弾性）を有するように構成されている。
具体的には、膝サポーター１は、上保持部５と下保持部７との間の領域において、伸縮性や形状が異なる、第１部位１７、第２部位１９、第３部位２１、第４部位２３、第５部位２５等を有している。
【００２７】
詳しくは、第１部位１７は、膝頭を覆う部分（即ち、膝頭被覆部）であり（例えば、図１等のドットで示す部分参照）、前側部１１に設けられている。この第１部位１７は、最も柔軟性が高い部位（即ち、容易に伸びることができる部位）である。なお、第１部位１７の形状として、膝頭を覆うように、例えば下方に延びる舌のような形状を採用できる。
【００２８】
第２部位１９は、第１部位１７の周囲を帯状に囲む部位であり、この第２部位１９は、第１部位１７よりも高い弾性を有する。
また、図２に示すように、前側部１１から見た場合に、第２部位１９の下方から左右方向において斜め上方に延びるように、略Ｖ字形状の第３部位２１（例えば、図１等の濃い
灰色部分参照）が設けられている。この第３部位２１は第２部位１９よりも高い弾性を有する。なお、略Ｖ字形状の中央部分の下端部は、左右方向に張り出すように設けられている。
【００２９】
さらに、前側部１１から見た場合に、第２部位１９の上方から左右に広がって、第３部位２１と交差するようにしてそれぞれ下方に延びるように、第４部位２３（例えば、図１等の薄い灰色部分参照）が設けられている。この第４部位２３は第２部位１９よりも高い弾性を有する。なお、交差部分は、第４部位２３ではなく、第３部位２１のみが設けられている。
【００３０】
一方、後側部１３から見た場合に、図３に示すように、開口部９の上方及び下方には、第５部位２５が設けられている。この第５部位２５は第４部位２３よりも低い弾性を有する。
【００３１】
なお、その他、膝サポーター１の上保持部５には、膝サポーター１の上方を示すマーク２７（図１参照）等が設けられている。
［１−２．使用方法］
次に、本実施形態の膝サポーター１の使用方法について説明する。
【００３２】
（１）図４に示すように、膝サポーター１を膝に装着する場合には、膝サポーター１の貫通孔３に足Ｆに通して、膝を覆うように膝サポーター１を装着する。
この状態において、膝頭は柔軟な第１部位１７によって覆われ、開口部９は膝の後側の膝窩部の部位にある。
【００３３】
また、膝頭の上方及び下方の部分は、上保持部５及び下保持部７によって締め付けられる。さらに、第３部位２１は、上述のような略Ｖ字形状であるので、第３部位２１によって、膝頭を下方から斜め上方に引き上げるように付勢することができる。また、第４部位２３は、後側部１３の左右端に沿って上下方向に延びているので、第４部位２３によって、膝を左右方向における側方等から締め付けることができる。
【００３４】
（２）次に、図５に示すように、膝を曲げた場合には、柔軟な第１部位１７は上下方向に容易に延びるので、スムーズに膝を曲げることができる。
また、膝サポーター１の膝の後側の膝窩部の部位には、開口部９が設けてある。即ち、膝窩部の部位には膝サポーター１の部分（即ち、布の部分）が無い。そのため、膝を曲げた場合に、膝窩部は布の部分に当たりにくい。つまり、布の部分が膝窩部に挟まれにくい。従って、この点からも膝をスムーズに曲げることができる。
【００３５】
［１−３．効果］
次に、本実施形態の効果について説明する。
（１ａ）本実施形態の膝サポーター１は、主として伸縮性を有する素材からなり、膝（即ち、膝関節の部分）の周囲を被覆する筒状のサポーターである。この膝サポーター１は、膝サポーター１を膝に装着した場合において、膝の後側（即ち、裏側）の膝窩部の部位（即ち、膝が内側に曲げられる部分）に対応する箇所に、開口部９を有する。
【００３６】
つまり、本実施形態の膝サポーター１では、膝窩部の部位には膝サポーター１の部分（即ち、布の部分）が無い。そのため、膝を曲げた場合に、膝窩部は布の部分に当たりにくい。つまり、布の部分が膝窩部に挟まれにくい。従って、膝サポーター１を膝に装着した場合であっても、膝をスムーズに曲げることができる。
【００３７】
（１ｂ）本実施形態の膝サポーター１は、膝の前側を覆うように設けられた前側部１１
と、膝の後側を覆うように設けられた後側部１３と、を備える。そして、開口部９は、後側部１３において、膝サポーター１の貫通孔３に沿った長手方向における中央部分に設けられている。
【００３８】
従って、上述したように、膝サポーター１を膝に装着した場合に、膝をスムーズに曲げることができる。
（１ｃ）本実施形態の膝サポーター１では、開口部９は、膝サポーター１の貫通孔３に沿った長手方向の寸法より、長手方向に垂直な短手方向の寸法が長いように構成されている。
【００３９】
開口部９が膝サポーター１の短手方向において短い場合には、膝が曲げられた場合には、膝サポーター１の後側の布の部分が、膝の後側にて挟まれ易い。しかし、本実施形態では、短手方向の寸法が長いでの、膝が曲げられた場合でも、膝サポーター１の後側の布の部分が、膝の後側にて挟まれにくい。よって、この点からも、膝をスムーズに曲げることができる。
【００４０】
（１ｄ）本実施形態の膝サポーター１では、開口部９の形状は、長方形であって、当該長方形の各頂点及び各辺が、外側に向かって滑らかに湾曲している。
つまり、開口部９は長方形であるので、膝が曲げられた場合（特に大きく曲げられた場合）でも、膝サポーター１の後側の布の部分が、膝の後側にて挟まれにくい。よって、この点からも、膝をスムーズに曲げることができる。
【００４１】
（１ｅ）本実施形態の膝サポーター１では、膝の前側（即ち、表側）の膝頭を覆う第１部位（即ち、膝頭被覆部）１７は、当該第１部位１７の周囲よりも柔軟性が高いように構成されている。
【００４２】
第１部位１７の弾性が過度に高い場合には、膝を曲げた場合に、第１部位１７が伸びにくいので、膝が曲げにくい。しかし、本実施形態では、第１部位１７は柔軟性が高いので、膝が曲げられた場合（特に大きく曲げられた場合）でも、第１部位１７はスムーズに伸びて広がるので、膝を容易に曲げることができる。
【００４３】
［２．他の実施形態］
以上、本開示の一実施形態について説明したが、本開示は上記実施形態に限定されるものではなく、種々変形して実施することができる。
【００４４】
（２ａ）例えば、膝サポーターの開口部の形状は、長方形に限らず、円形や長円形や楕円形など、各種の形状を採用できる。
（２ｂ）また、膝サポーターの上保持部と下保持部との間の各部位の形状は、前記実施形態の形状に限らず、各種の形状を採用できる。
【００４５】
（２ｃ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【符号の説明】
【００４６】
１…膝サポーター、３…貫通孔、９…開口部、１７…第１部位
【図１】
0003235308.tif 000003
【図２】
0003235308.tif 000004
【図３】
0003235308.tif 000005
【図４】
0003235308.tif 000006
【図５】
0003235308.tif 000007